(57)【要約】【課題】複数の冷却対象に冷却気体を供給できるプロジェクターを提供すること。【解決手段】本発明のプロジェクターは、光源と、光源から出射された光を変調する光変調装置と、光変調装置により変調された光を投射する投射光学装置と、光変調装置と投射光学装置との間に配置され、揺動により光変調装置により変調された光の光路を変更する光路変更素子（シフト素子５）と、光変調装置及び光路変更素子（シフト素子５）を冷却する冷却装置４と、を備える。【選択図】図１１
2020052412.tif 000002
【特許請求の範囲】
【請求項１】
光源と、
前記光源から出射された光を変調する光変調装置と、
前記光変調装置により変調された光を投射する投射光学装置と、
前記光変調装置と前記投射光学装置との間に配置され、揺動により前記光変調装置により変調された光の光路を変更する光路変更素子と、
前記光変調装置及び前記光路変更素子を冷却する冷却装置と、を備えることを特徴とするプロジェクター。
【請求項２】
請求項１に記載のプロジェクターにおいて、
複数の前記光変調装置と、
前記複数の光変調装置により変調された光を合成して出射する光合成装置と、を備え、
前記投射光学装置は、前記光合成装置から出射された光を投射し、
前記光路変更素子は、前記光合成装置と前記投射光学装置との間に配置されることを特徴とするプロジェクター。
【請求項３】
請求項２に記載のプロジェクターにおいて、
前記冷却装置は、
冷却気体を送出する冷却ファンと、
前記冷却ファンからの前記冷却気体を前記複数の光変調装置に流通させるダクト部材と、を備え、
前記ダクト部材は、前記光路変更素子に向けて前記冷却気体を流通させる送出口を有することを特徴とするプロジェクター。
【請求項４】
請求項３に記載のプロジェクターにおいて、
前記光路変更素子は、
永久磁石と、
前記永久磁石により揺動されて入射された光の光路を変更する光学部材と、
前記光学部材及び前記永久磁石を保持する保持部と、
前記永久磁石を挟んで前記保持部に配置される一対のコイルと、を備えることを特徴とするプロジェクター。
【請求項５】
請求項４に記載のプロジェクターにおいて、
前記光路変更素子は、前記一対のコイルを保持して前記保持部に取り付けられるコイル保持部を有し、
前記送出口は、前記コイル保持部に前記冷却気体の少なくとも一部を流通させることを特徴とするプロジェクター。
【請求項６】
請求項５に記載のプロジェクターにおいて、
前記コイル保持部は、放熱部を備えることを特徴とするプロジェクター。
【請求項７】
請求項５又は請求項６に記載のプロジェクターにおいて、
前記コイル保持部は、前記送出口側に延出する延出部を有することを特徴とするプロジェクター。
【請求項８】
請求項３から請求項７のいずれか一項に記載のプロジェクターにおいて、
前記光合成装置は、
前記複数の光変調装置を介した光が入射される３つの入射面と、
前記３つの入射面から入射され、合成された光が出射される１つの出射面と、を有し、
前記ダクト部材は、前記複数の光変調装置のそれぞれに応じて設けられ、内部を流通する前記冷却気体を対応する前記光変調装置に送出する複数のダクトを有し、
前記複数のダクトのうち、前記光合成装置を挟んで互いに反対側に配置された光変調装置に対応するダクトは、内部を流通する前記冷却気体を分岐させ、前記送出口から当該冷却気体を送出させる分岐部を有することを特徴とするプロジェクター。
【請求項９】
請求項８に記載のプロジェクターにおいて、
前記光路変更素子は、前記永久磁石及び前記一対のコイルを含む揺動部材を２つ有し、
前記光合成装置を挟んで互いに反対側に配置された光変調装置のうち、
一方の光変調装置側に一方の前記揺動部材が配置され、他方の光変調装置側に他方の前記揺動部材が配置され、
一方の前記揺動部材は、前記光学部材に対する光の入射方向側から見て、前記光学部材を挟んで他方の前記揺動部材の反対側となる位置に配置されることを特徴とするプロジェクター。
【発明の詳細な説明】
【技術分野】
【０００１】
本発明は、プロジェクターに関する。
【背景技術】
【０００２】
従来、照明装置と、当該照明装置から出射された光を変調して画像情報に応じた画像を形成する光変調装置と、当該画像をスクリーン等の被投射面上に拡大投射する投射光学装置と、を備えたプロジェクターが知られている（例えば、特許文献１参照）。
この特許文献１に記載のプロジェクターは、光源から出射された光束を赤、緑及び青の各色光に分離する色分離光学装置と、分離された色光ごとに設けられた３つの液晶パネルと、当該各液晶パネルにより変調された色光を合成するプリズムと、筐体外部から導入した空気を液晶パネルに送風し、当該液晶パネルを冷却する冷却装置と、を備える。これらのうち、冷却装置は、液晶パネルの数に応じて設けられ、当該各冷却ファンは、対応する液晶パネルにそれぞれ独立して冷却空気を送風する。
【先行技術文献】
【特許文献】
【０００３】
【特許文献１】特開２００１−３１２００３号公報
【発明の概要】
【発明が解決しようとする課題】
【０００４】
ところで、液晶パネル等の光変調装置の解像度よりも投射される画像の解像度を高くするため、当該プリズムと投射光学装置との間に、当該光の光路を変更する光路変更素子を設け、光変調装置から出射された映像光の軸をシフトさせることが考えられる。しかしながら、上記光路変更素子は、プリズムと投射光学装置との間に配置されるため、特許文献１に記載のプロジェクターの冷却装置では、当該光路変更素子を冷却することができない。また、プロジェクターの大型化及び高輝度化により、光路変更素子が大型化し、当該光路変更素子の駆動に伴う発熱によって当該光路変更素子の機能が低下するという問題がある。
このため、光変調装置及び光路変更素子等の複数の冷却対象に冷却気体を供給できるプロジェクターが求められている。
【０００５】
本発明は、上記課題の少なくとも一部を解決することを目的としたものであり、複数の冷却対象に冷却気体を供給できるプロジェクターを提供することを目的の１つとする。
【課題を解決するための手段】
【０００６】
本発明の一態様に係るプロジェクターは、光源と、前記光源から出射された光を変調する光変調装置と、前記光変調装置により変調された光を投射する投射光学装置と、前記光変調装置と前記投射光学装置との間に配置され、揺動により前記光変調装置により変調された光の光路を変更する光路変更素子と、前記光変調装置及び前記光路変更素子を冷却する冷却装置と、を備えることを特徴とする。
【０００７】
上記光路変更素子としては、入射された光の光路を変更するシフト素子を例示できる。
上記一態様によれば、複数の冷却対象である光変調装置及び光路変更素子に冷却気体を供給できるので、光変調装置の温度が上昇することを抑制できる。また、冷却装置により光路変更素子が冷却されるので、光変調装置から入射された光により当該光路変更素子の温度が上昇することを抑制できる。
【０００８】
上記一態様では、複数の前記光変調装置と、前記複数の光変調装置により変調された光を合成して出射する光合成装置と、を備え、前記投射光学装置は、前記光合成装置から出射された光を投射し、前記光路変更素子は、前記光合成装置と前記投射光学装置との間に配置されることが好ましい。
上記一態様によれば、光合成装置と投射光学装置との間に光路変更素子が配置されるので、当該光路変更素子が冷却される際に、当該光路変更素子とともに、光合成装置も冷却できる。従って、光合成装置から入射された光により当該光路変更素子の温度が上昇することを抑制できる。
【０００９】
上記一態様では、前記冷却装置は、冷却気体を送出する冷却ファンと、前記冷却ファンからの前記冷却気体を前記複数の光変調装置に流通させるダクト部材と、を備え、前記ダクト部材は、前記光路変更素子に向けて前記冷却気体を流通させる送出口を有することが好ましい。
上記一態様によれば、光変調装置に冷却気体を流通させるダクト部材が送出口を有しているので、光路変更素子を冷却する冷却装置を別に設ける必要がない。これによれば、冷却装置の小型化を図ることができ、ひいては、プロジェクターを小型化できる。
【００１０】
上記一態様では、前記光路変更素子は、永久磁石と、前記永久磁石により揺動されて入射された光の光路を変更する光学部材と、前記光学部材及び前記永久磁石を保持する保持部と、前記永久磁石を挟んで前記保持部に配置される一対のコイルと、を備えることが好ましい。
ここで、永久磁石を挟んで配置される一対のコイルに電力が供給されると、永久磁石を変位させ、ひいては、光路変更素子を変位させる磁力を発生させるとともに、当該コイルの温度が上昇する。このように、コイルの温度が上昇すると、磁力を発生させるコイルの磁力が弱まることがある。
これに対し、上記一態様によれば、光路変更素子に冷却気体が供給されるので、光路変更素子、すなわち、光路変更素子が備える一対のコイルの温度が上昇することを抑制できる。従って、光路変更素子に設けられたコイルの磁力の低下を抑制できるので、当該光路変更素子の駆動を安定化できる。
【００１１】
上記一態様では、前記光路変更素子は、前記一対のコイルを保持して前記保持部に取り付けられるコイル保持部を有し、前記送出口は、前記コイル保持部に前記冷却気体の少なくとも一部を流通させることが好ましい。
上記一態様によれば、光路変更素子の保持部にコイル保持部によりコイルが保持された状態で固定され、当該コイル保持部に冷却気体の少なくとも一部が流通されるので、確実にコイル保持部を冷却できる。従って、コイル保持部を冷却することにより、当該コイル保持部に保持されるコイルを冷却し、当該コイルの温度が上昇することを抑制できる。
【００１２】
上記一態様では、前記コイル保持部は、放熱部を備えることが好ましい。
なお、上記放熱部としては、フィン等を例示できる。
上記一態様によれば、コイル保持部が放熱部を備えるので、コイル保持部の放熱量は、当該放熱部を有していないコイル保持部の放熱量より大きくなる。これによれば、コイル保持部の放熱部に冷却気体が供給されることにより、より確実にコイル保持部を冷却できる。従って、コイル保持部に保持されたコイルを確実に冷却し、当該コイルの温度が上昇することを抑制できる。
【００１３】
上記一態様では、前記コイル保持部は、前記送出口側に延出する延出部を有することが好ましい。
上記一態様によれば、コイル保持部が延出部を有するので、当該延出部を備えたコイル保持部の放熱面積は、当該延出部を有しないコイル保持部の放熱面積より大きくなる。これによれば、コイル保持部（延出部）に冷却気体が供給されるので、より確実にコイル保持部を冷却できる。従って、コイル保持部に保持されたコイルを確実に冷却し、当該コイルの温度が上昇することを抑制できる。
【００１４】
上記一態様では、前記光合成装置は、前記複数の光変調装置を介した光が入射される３つの入射面と、前記３つの入射面から入射され、合成された光が出射される１つの出射面と、を有し、前記ダクト部材は、前記複数の光変調装置のそれぞれに応じて設けられ、内部を流通する前記冷却気体を対応する前記光変調装置に送出する複数のダクトを有し、前記複数のダクトのうち、前記光合成装置を挟んで互いに反対側に配置された光変調装置に対応するダクトは、内部を流通する前記冷却気体を分岐させ、前記送出口から当該冷却気体を送出させる分岐部を有することが好ましい。
なお、上記光合成装置としては、クロスダイクロイックプリズムを例示できる。
上記一態様によれば、光合成装置を挟んで互いに反対側に配置された光変調装置に応じた２つのダクトを介して冷却気体を当該光変調装置及び光路変更素子に供給できる。すなわち、２つの送出口から光路変更素子に冷却気体が供給されるので、確実に光路変更素子を冷却できる。また、光路変更素子に冷却気体を流通させるダクトを更に設けることなく光変調装置及び光路変更素子に冷却気体を供給できるので、冷却装置の小型化、ひいては、プロジェクターを小型化できる。
【００１５】
上記一態様では、前記光路変更素子は、前記永久磁石及び前記一対のコイルを含む揺動部材を２つ有し、前記光合成装置を挟んで互いに反対側に配置された光変調装置のうち、一方の光変調装置側に一方の前記揺動部材が配置され、他方の光変調装置側に他方の前記揺動部材が配置され、一方の前記揺動部材は、前記光学部材に対する光の入射方向側から見て、前記光学部材を挟んで他方の前記揺動部材の反対側となる位置に配置されることが好ましい。
上記一態様によれば、一方の揺動部材と一方の光変調装置との位置が近接し、他方の揺動部材と他方の光変調装置との位置が近接する。このため、対向して配置される光変調装置のそれぞれと上記それぞれの揺動部材の位置が近いので、当該近接して配置される光変調装置に対応するダクトから揺動部材に冷却気体を流通させる分岐部の構成を簡易にできる。また、当該ダクトの分岐部から送出口までの距離を短くできるので、当該ダクトを流通する冷却気体の流通速度の低下を抑制できる。従って、より確実に光路変更素子を冷却できる。
【図面の簡単な説明】
【００１６】
【図１】本発明の第１実施形態に係るプロジェクターの外観を示す概略斜視図。
【図２】上記第１実施形態に係るプロジェクターの概略構成を示す模式図。
【図３】上記第１実施形態に係るプロジェクターの電気光学装置及び冷却装置を示す斜視図。
【図４】上記第１実施形態に係る電気光学装置及び冷却装置を示す平面図。
【図５】上記第１実施形態に係るシフト素子を光入射側から見た斜視図。
【図６】上記第１実施形態に係るシフト素子を光出射側から見た平面図。
【図７】上記第１実施形態に係るシフト素子の側面図。
【図８】上記第１実施形態に係るシフト素子の分解斜視図。
【図９】上記第１実施形態に係る冷却装置を示す斜視図。
【図１０】上記第１実施形態に係る冷却装置を示す平面図。
【図１１】上記第１実施形態に係る電気光学装置、シフト素子及び冷却装置の赤色光側の断面を示す断面図。
【図１２】上記第１実施形態に係る電気光学装置、シフト素子及び冷却装置の青色光側の断面を示す断面図。
【図１３】本発明の第２実施形態に係るプロジェクターのシフト素子を示す斜視図。
【図１４】本発明の第３実施形態に係るプロジェクターのシフト素子を示す斜視図。
【発明を実施するための形態】
【００１７】
［第１実施形態］
以下、本発明の第１実施形態について、図面に基づいて説明する。
［プロジェクターの外観構成］
図１は、本実施形態に係るプロジェクター１を示す概要斜視図である。
本実施形態に係るプロジェクター１は、後述する照明装置３１から出射される光を変調して画像情報に応じた画像を形成し、当該画像をスクリーン等の被投射面上に拡大投射する投射型表示装置である。
このプロジェクター１は、詳しくは後述するが、入射された光の光路を変更するシフト素子を備え、冷却装置は、後述する光変調装置の他、当該シフト素子を冷却する機能を有する。
このようなプロジェクター１は、図１に示すように、外装を構成する外装筐体２を備える。
【００１８】
外装筐体２は、天面部２１、底面部２２、正面部２３、背面部２４及び左右の側面部２５，２６を有する略直方体形状に形成されている。
天面部２１には、後述する光源装置３１Ａ，３１Ｂを外装筐体２内に着脱するための開口部（図示省略）が形成され、当該開口部は、カバー部材２１２によって覆われている。
底面部２２には、図示を省略するが、設置台等の設置面上に載置される際に、当該設置面と接触する脚部が設けられている。
正面部２３には、後述する画像形成装置３を構成する投射光学装置３５の一部が露出する開口部２３１が形成されている。
これらの他、図示を省略するが、右側の側面部２６には、外装筐体２外の空気を内部に導入する導入口が形成され、左側の側面部２５には、外装筐体２内の空気を外部に排出する排気口が形成されている。
【００１９】
［プロジェクターの内部構成］
図２は、プロジェクター１の内部構成を示す模式図である。
プロジェクター１は、上記外装筐体２の他、図２に示すように、当該外装筐体２内に配置される画像形成装置３及び冷却装置４を備える。この他、図示を省略するが、プロジェクター１は、当該プロジェクター１を制御する制御装置、及び、当該プロジェクター１を構成する電子部品に電力を供給する電源装置を備える。
【００２０】
［画像形成装置の構成］
画像形成装置３は、上記制御装置から入力される画像情報に応じた画像を形成及び投射する。この画像形成装置３は、照明装置３１、均一化装置３２、色分離装置３３、電気光学装置３４、投射光学装置３５及び光学部品用筐体３６を備える。
これらのうち、光学部品用筐体３６は、内部に照明光軸Ａｘが設定された箱状筐体であり、照明装置３１、均一化装置３２及び色分離装置３３は、光学部品用筐体３６内における照明光軸Ａｘ上の位置に配置される。また、電気光学装置３４及び投射光学装置３５は、光学部品用筐体３６外に位置するものの当該照明光軸Ａｘに応じて配置される。
【００２１】
照明装置３１は、互いに対向配置される一対の光源装置３１Ａ，３１Ｂと、当該一対の光源装置３１Ａ，３１Ｂの間に配置される反射ミラー３１Ｃと、を備える。
一対の光源装置３１Ａ，３１Ｂは、それぞれ光源ランプ３１１及びリフレクター３１２と、これらを内部に収納する収納体３１３とを備える。そして、これら光源装置３１Ａ，３１Ｂは、反射ミラー３１Ｃに向けて光を出射する。
反射ミラー３１Ｃは、光源装置３１Ａ，３１Ｂから入射される光をそれぞれ同方向に反射させ、これにより、当該光を均一化装置３２に入射させる。
【００２２】
均一化装置３２は、照明装置３１から出射された光束の中心軸に対する直交面内の照度を均一化する。この均一化装置３２は、シネマフィルター３２１、第１レンズアレイ３２２、ＵＶフィルター３２３、第２レンズアレイ３２４、偏光変換素子３２５及び重畳レンズ３２６を有する。
これらのうち、偏光変換素子３２５は、入射された光の偏光方向を一種類に揃えるものである。
色分離装置３３は、均一化装置３２から入射される光束を、赤（Ｒ）、緑（Ｇ）及び青（Ｂ）の３つの色光に分離する。この色分離装置３３は、ダイクロイックミラー３３１，３３２、反射ミラー３３３〜３３６及びリレーレンズ３３７〜３３９を有する。
【００２３】
電気光学装置３４は、分離された各色光を画像情報に応じて変調した後、変調された各色光を合成する。この電気光学装置３４は、フィールドレンズ３４０、それぞれ色光毎に設けられる光変調装置としての液晶パネル３４１（赤、緑及び青用の液晶パネルを、それぞれ３４１Ｒ，３４１Ｇ，３４１Ｂとする）、入射側偏光板３４２及び出射側偏光板３４３と、光学補償板３４４と、１つの色合成装置３４５と、を有する。これらのうち、色合成装置３４５は、本発明の光合成装置に相当する。
シフト素子５は、色合成装置３４５により出射された光の光路を周期的にずらすことにより、投射画像の解像度を高めるものである。
これら電気光学装置３４及びシフト素子５の構成については、詳しくは後述する。
【００２４】
投射光学装置３５は、色合成装置３４５により合成された光束（画像を形成する光束）を上記被投射面上に拡大投射する投射レンズである。このような投射光学装置３５としては、鏡筒内に複数のレンズが配置された組レンズを採用できる。
【００２５】
なお、以下の図及び説明において、Ｚ方向は、色合成装置３４５から出射された光の進行方向（投射方向）を示し、Ｘ方向及びＹ方向は、当該Ｚ方向に直交し、かつ、互いに直交する方向を示す。これらのうち、Ｙ方向は、平面視でＺ方向が水平方向に沿うようにプロジェクター１が配置された場合に、鉛直方向とは反対方向である上方（すなわち、外装筐体２の底面部２２から天面部２１に向かう方向）を示し、Ｘ方向は、Ｚ方向側（光の進行方向側）から見て左から右に向かう方向を示す。
【００２６】
［電気光学装置の構成］
図３は、電気光学装置３４及び冷却装置４をＸ方向側から見た斜視図であり、図４は、電気光学装置３４及び冷却装置４をＹ方向側から見た平面図である。なお、図３及び図４においては、フィールドレンズ３４０が取り外された状態の電気光学装置３４を示している。
電気光学装置３４の構成要素のうち、各液晶パネル３４１（３４１Ｒ，３４１Ｇ，３４１Ｂ）、出射側偏光板３４３及び光学補償板３４４は、保持部材によって色合成装置３４５に取り付けられ、これらは、図３及び図４に示すように、一体化されたプリズムユニットを構成する。
このプリズムユニットを構成する色合成装置３４５は、略四角柱のクロスダイクロイックプリズムにより構成される。この色合成装置３４５は、６つの面３４５１〜３４５６を備える。これらのうち、色合成装置３４５のＹ方向側の面３４５１、及び、Ｙ方向側とは反対側の面３４５２には、プリズムベース３４７Ｕ，３４７Ｌ（図３及び図１１参照）が当接されて当該色合成装置３４５が支持される。
【００２７】
また、色合成装置３４５のＸ方向側の面３４５３、Ｘ方向側とは反対側の面３４５４、及びＺ方向側とは反対側の面３４５５が、それぞれ赤、青及び緑の変調光の入射面であり、Ｚ方向側の面３４５６が出射面である。これら各入射面（面３４５３〜３４５５）に対向するように液晶パネル３４１Ｒ，３４１Ｇ，３４１Ｂが保持部材３４６（赤色用保持部材３４６Ｒ，緑色用保持部材３４６Ｇ，赤色用保持部材３４６Ｂ）によって保持され、これにより、液晶パネル３４１、入射側偏光板３４２、出射側偏光板３４３及び光学補償板３４４が一体化される。
【００２８】
［シフト素子の構成］
図５は、固定部材３６０及びシフト素子５をＺ方向とは反対方向側から見た斜視図である。
固定部材３６０は、光学部品用筐体３６の一部を構成し、シフト素子５が固定される部位である。この固定部材３６０は、光学部品用筐体３６において、投射光学装置３５に対向する位置に配置される。この固定部材３６０のＺ方向とは反対方向側の面３６０１には、図５に示すように、シフト素子５が固定される。具体的に、シフト素子５は、固定部材３６０に固定されることにより、色合成装置３４５及び投射光学装置３５の間に配置された状態で固定される。
【００２９】
図６は、シフト素子５をＺ方向側から見た平面図であり、図７は、シフト素子５をＸ方向とは反対方向側から見た側面図であり、図８は、シフト素子５の分解斜視図である。
シフト素子５は、本発明の光路変更素子に相当し、当該シフト素子５に入射され、当該シフト素子５から出射される光の光路を当該シフト素子５が揺動することにより変更（シフト）させる機能を有する。このようなシフト素子５は、図５〜図８に示すように、光学部材５１、枠部５２、永久磁石５３、第１フレーム５４、第２フレーム５５及び一対のコイル保持部５６，５７を備える。
これらのうち、光学部材５１は、透光性を有する透光性部材により構成され、本実施形態では、矩形板状のガラスにより構成される。
【００３０】
［枠部の構成］
枠部５２は、光学部材５１及び永久磁石５３を保持する機能を有する。この枠部５２は、図５に示すように、４つの角部ＣＲ１〜ＣＲ４を有する矩形板状に構成される。この枠部５２の略中央部分には、上記光学部材５１が嵌め込まれる開口部５２１が形成されている。また、枠部５２の開口部５２１のＹ方向側の位置、及び、Ｙ方向とは反対方向側の位置のそれぞれには、永久磁石５３が嵌め込まれる嵌合溝５２２，５２３が形成されている。これら嵌合溝５２２，５２３のうち、嵌合溝５２２は、嵌合溝５２３よりもＸ方向とは反対方向側に形成されている。
【００３１】
また、枠部５２における嵌合溝５２２のＹ方向側で、かつ、Ｘ方向とは反対方向側の端縁には、Ｚ方向に向けて突出する位置決め突起５２４が形成され、枠部５２における嵌合溝５２３のＹ方向とは反対方向側でかつＸ方向側の端縁には、Ｚ方向に向けて突出する位置決め突起５２５が形成されている。更に、枠部５２のＺ方向とは反対方向側の面には、これら位置決め突起５２４，５２５のそれぞれに対応する位置に、Ｚ方向とは反対方向に向けて突出する位置決め突起５２６，５２７が形成されている。
換言すると、Ｙ方向側の位置決め突起５２４，５２６は、枠部５２の４つの角部ＣＲ１〜ＣＲ４のうち、角部ＣＲ３近傍に形成され、Ｙ方向とは反対方向側の位置決め突起５２５，５２７は、当該角部ＣＲ３の対角となる角部ＣＲ２近傍に形成されている。
永久磁石５３は、図８に示すように、角柱状に形成される。永久磁石５３（永久磁石５３１）は、嵌合溝５２２に嵌合され、永久磁石５３（永久磁石５３２）は、嵌合溝５２３に嵌合される。このようにして永久磁石５３１，５３２は、枠部５２に固定される。
【００３２】
［第１フレームの構成］
第１フレーム５４は、枠部５２のＺ方向とは反対方向側に配置され、当該枠部５２を第２フレーム５５とともに挟持する機能を有する。この第１フレーム５４は、矩形板状に形成され、当該第１フレーム５４の略中央部分には、開口部５４１が形成されている。この開口部５４１は、上記光学部材５１と略同形状に形成される。これにより、開口部５４１から入射された光は、光学部材５１に入射される。
また、第１フレーム５４のＹ方向側で、かつ、Ｘ方向とは反対方向側の端縁には、貫通孔５４２が形成され、第１フレーム５４のＹ方向とは反対方向側で、かつ、Ｘ方向側の端縁には、貫通孔５４３が形成されている。貫通孔５４２には、上記枠部５２の位置決め突起５２４がそれぞれ挿入され、貫通孔５４３には、位置決め突起５２５がそれぞれ挿入される。
【００３３】
［第２フレームの構成］
第１フレーム５４は、枠部５２のＺ方向側に配置され、当該枠部５２を第１フレーム５４とともに挟持する機能を有する。この第２フレーム５５は、矩形板状に形成され、当該第２フレーム５５の略中央部分には、開口部５５１が形成されている。この開口部５５１は、上記光学部材５１と略同形状に形成される。
また、第２フレーム５５のＹ方向側で、かつ、Ｘ方向とは反対方向側の端縁には、貫通孔５５２が形成され、第２フレーム５５のＹ方向とは反対方向側で、かつ、Ｘ方向側の端縁には、貫通孔５５３が形成されている。この貫通孔５５２には、上記枠部５２の位置決め突起５２６が挿通され、貫通孔５５３には、位置決め突起５２７が挿通される。
【００３４】
更に、第２フレーム５５は、それぞれの角部から第２フレーム５５の外側に延出する延出部５５４〜５５７を備える。これら延出部５５４〜５５７には、それぞれねじＳ１が挿通する貫通孔５５４１，５５５１，５５６１，５５７１が形成されている。これらねじＳ１が固定部材３６０に螺合することにより、シフト素子５は、図５に示すように、固定部材３６０に固定される。
このような構成により、第１フレーム５４及び第２フレーム５５は、枠部５２を挟持する。なお、枠部５２、第１フレーム５４及び第２フレーム５５は、本発明の枠部に相当する。
【００３５】
［コイル保持部の構成］
一対のコイル保持部５６及び一対のコイル保持部５７は、内部に本発明のコイルに相当する空芯コイルＣＬを備える。この空芯コイルＣＬは、当該空芯コイルＣＬに電力が供給されることにより、永久磁石５３を変位させ、ひいては、シフト素子５を変位させる磁力を発生させる。これらのうち、一対のコイル保持部５６は、第１フレーム５４に固定されるコイル保持部５６１と、第２フレーム５５に固定されるコイル保持部５６２とを備える。
これらコイル保持部５６１，５６２のそれぞれには、孔部５６１１，５６２１が形成されている。この孔部５６１１には、枠部５２の位置決め突起５２４が第１フレーム５４の貫通孔５４２を介して嵌まり込む。一方、孔部５６２１には、枠部５２の位置決め突起５２６が第２フレーム５５の貫通孔５５２を介して嵌まり込む。これにより、第１フレーム５４にコイル保持部５６１が固定され、第２フレーム５５にコイル保持部５６２が固定される。
【００３６】
一方、一対のコイル保持部５７は、第１フレーム５４に固定されるコイル保持部５７１と、第２フレーム５５に固定されるコイル保持部５７２とを備える。これらコイル保持部５７１，５７２のそれぞれには、孔部５７１１，５７２１が形成されている。この孔部５７１１には、枠部５２の位置決め突起５２５が第１フレーム５４の貫通孔５４３を介して嵌まり込む。一方、孔部５７２１には、枠部５２の位置決め突起５２７が第２フレーム５５の貫通孔５５３を介して嵌まり込む。これにより、第１フレーム５４にコイル保持部５７１が固定され、第２フレーム５５にコイル保持部５７２が固定される。
なお、一対のコイル保持部５６、一対のコイル保持部５６が備える空芯コイルＣＬ、及び永久磁石５３１は、本発明の一方の揺動部材に相当し、一対のコイル保持部５７、一対のコイル保持部５７が備える空芯コイルＣＬ及び永久磁石５３２は、本発明の他方の搖動部材に相当する。
【００３７】
このように、一対のコイル保持部５６におけるコイル保持部５６１とコイル保持部５６２は、Ｘ方向とは反対方向側でＹ方向側の角部ＣＲ３近傍で、かつ、重なる位置及び向きに配置される。一方、一対のコイル保持部５７におけるコイル保持部５７１とコイル保持部５７２は、シフト素子５をＺ方向に沿って見た場合に、Ｘ方向側でＹ方向とは反対方向側の角部ＣＲ２近傍で、かつ、重なる位置及び向きに配置される。換言すると、固定部材３６０に固定されたシフト素子５をＺ方向とは反対方向側から見て、一対のコイル保持部５６は、液晶パネル３４１Ｂ側に配置され、一対のコイル保持部５７は、液晶パネル３４１Ｒ側に配置される。
なお、上記枠部５２、第１フレーム５４、第２フレーム５５、一対のコイル保持部５６及び一対のコイル保持部５７は、熱伝導性を有する金属により構成され、本実施形態では、アルミニウムにより構成されている。これにより、空芯コイルＣＬの温度が上昇した場合に、枠部５２、第１フレーム５４、第２フレーム５５、一対のコイル保持部５６及び一対のコイル保持部５７コイル保持部５６，５７のそれぞれに当該空芯コイルＣＬの熱が伝導する。
【００３８】
また、上記コイル保持部５６１，５６２，５７１，５７２のそれぞれには、固定部材３６０に取り付けられた電力供給部３６０２が接続される（図５参照）。この電力供給部３６０２は、それぞれのコイル保持部５６１，５６２，５７１，５７２を介して空芯コイルＣＬに電力を供給することにより、永久磁石５３１，５３２を変位させ、ひいては、シフト素子５を変位させる磁力を発生させる。
具体的に、枠部５２に取り付けられた永久磁石５３１，５３２が変異すると、シフト素子５は、図６に示す回動角Ｌ１に沿って固定部材３６０の面３６０１に対して接近及び離間する方向に移動することにより、枠部５２の開口部５２１に嵌めこまれた光学部材５１の角度が変更される。
換言すると、コイル保持部５６１，５６２，５７１，５７２のそれぞれに電力を供給することにより、光学部材５１に入射され、当該光学部材５１から出射される光の光路を変更することができる。
【００３９】
［冷却装置の構成］
図９は、冷却装置４をＹ方向側から見た斜視図であり、図１０は、冷却装置４をＹ方向側から見た平面図である。
冷却装置４は、冷却気体を送風して、液晶パネル３４１（３４１Ｒ，３４１Ｇ，３４１Ｂ）及びシフト素子５を冷却する機能を有する。この冷却装置４は、図９及び図１０に示すように、冷却ファン４１（液晶パネル３４１Ｒ，３４１Ｇ，３４１Ｂのそれぞれに対応する冷却ファンを冷却ファン４１Ｒ，４１Ｇ，４１Ｂとする）と、ダクト部材４２と、を備える。これらのうち、冷却ファン４１は、当該冷却ファン４１の周囲の冷却気体を吸引し、ダクト部材４２を介して各液晶パネル３４１及びシフト素子５に冷却気体を供給する。
なお、この冷却ファン４１は、シロッコファンにより構成されている。しかしながら、これに限らず、冷却ファン４１は、軸流ファンにより構成されていてもよい。
【００４０】
［ダクト部材の構成］
ダクト部材４２は、各冷却ファン４１から送出された冷却気体を、それぞれ対応する液晶パネル３４１、偏光板３４２，３４３及び光学補償板３４４の他、シフト素子５に導風する。このダクト部材４２は、第１ダクト部４３、第２ダクト部４４、第３ダクト部４５、及び接続部４６を備える。
【００４１】
［第１ダクト部の構成］
第１ダクト部４３は、冷却ファン４１Ｒからの冷却気体を液晶パネル３４１Ｒ及びシフト素子５におけるコイル保持部５７に供給させる機能を有する。この第１ダクト部４３は、分岐部４３１と、当該分岐部４３１によって分岐された一部の冷却気体を赤色用の液晶パネル３４１Ｒに送出する送出口４３２と、分岐された他の一部の冷却気体をシフト素子５のコイル保持部５７に送出する送出口４３３と、を有する。
第１ダクト部４３のＸ方向側の端部４３４は、冷却ファン４１Ｒの吐出口に接続されている。また、第１ダクト部４３の突出部４３５は、Ｙ方向に延びる形状であり、当該突出部４３５のＹ方向側の端部には、上記送出口４３２が形成されている。この突出部４３５のＹ方向とは反対方向側の端部には、整流部４３６が設けられている。この整流部４３６は、略円弧状に形成され、冷却ファン４１Ｒからの冷却気体をスムーズにＹ方向に向けて流通させる機能を有する。
また、送出口４３２は、上記液晶パネル３４１Ｒに対応する位置に配置されている。これにより、当該送出口４３２を介して冷却気体が液晶パネル３４１Ｒに向けて流通される。
【００４２】
また、第１ダクト部４３は、図９及び図１０に示すように、分岐部４３１からＺ方向側に延出する延出部４３７を有する。この延出部４３７には、上記送出口４３３が形成されている。この延出部４３７のＺ方向とは反対方向側の面４３７１には、開口部４３７２が形成されている。この開口部４３７２には、上記冷却ファン４１Ｒから供給された冷却気体の一部が流通する。すなわち、分岐部４３１は、上記面４３７１及び開口部４３７２により構成される。
また、送出口４３３は、本発明の送出口に相当し、上記シフト素子５のコイル保持部５７に対向する位置に配置される。
【００４３】
［第２ダクト部の構成］
第２ダクト部４４は、冷却ファン４１Ｇからの冷却気体を液晶パネル３４１Ｇに供給させる機能を有する。この第２ダクト部４４は、冷却気体を緑色用の液晶パネル３４１Ｇに送出する送出口４４２を有する。
この第２ダクト部４４のＺ方向とは反対方向側の端部４４４は、冷却ファン４１Ｇの吐出口に接続されている。また、第２ダクト部４４の突出部４４５には、上記送出口４４２が形成されている。この突出部４４５のＹ方向とは反対方向側の端部には、整流部４４６が設けられている。この整流部４４６は、略円弧状に形成され、冷却ファン４１Ｇからの冷却気体をスムーズにＹ方向に向けて流通させる機能を有する。
また、送出口４４２は、上記液晶パネル３４１Ｇに対応する位置に配置されている。これにより、当該送出口４４２を介して冷却気体が液晶パネル３４１Ｇに向けて流通される。
【００４４】
［第３ダクト部の構成］
第３ダクト部４５は、冷却ファン４１Ｂからの冷却気体を液晶パネル３４１Ｂ及びシフト素子５におけるコイル保持部５６に供給させる機能を有する。この第３ダクト部４５は、分岐部４５１と、当該分岐部４５１によって分岐された一部の冷却気体を青色用の液晶パネル３４１Ｂに送出する送出口４５２と、分岐された他の一部の冷却気体をシフト素子５のコイル保持部５６に送出する送出口４５３と、を有する。
第３ダクト部４５のＺ方向とは反対方向側の端部４５４は、冷却ファン４１Ｂの吐出口に接続されている。また、第３ダクト部４５の突出部４５５は、Ｙ方向に延びる形状であり、当該突出部４５５のＹ方向側の端部には、上記送出口４５２が形成されている。この突出部４５５のＹ方向とは反対方向側の端部には、整流部４５６が設けられている。この整流部４５６は、略円弧状に形成され、冷却ファン４１Ｂからの冷却気体をスムーズにＹ方向に向けて流通させる機能を有する。
また、送出口４５２は、上記液晶パネル３４１Ｂに対応する位置に配置されている。これにより、当該送出口４５２を介して冷却気体が液晶パネル３４１Ｂに向けて流通される。
【００４５】
また、第３ダクト部４５は、図９及び図１０に示すように、分岐部４５１からＺ方向側に延出する延出部４５７を有する。この延出部４５７には、上記送出口４５３が形成されている。この延出部４５７のＺ方向とは反対方向側の面４５７１には、開口部４５７２が形成されている。この開口部４５７２には、上記冷却ファン４１Ｂから供給された冷却気体の一部が流通する。すなわち、分岐部４５１は、上記面４５７１及び開口部４５７２により構成される。
また、送出口４５３は、本発明の送出口に相当し、上記シフト素子５のコイル保持部５６に対向する位置に配置される。
【００４６】
［冷却気体の流通方向］
図１１は、電気光学装置３４及び冷却装置４を図４に示す破線Ａ１−Ａ１にて切断した断面を示す断面図であり、図１２は、電気光学装置３４及び冷却装置４を図４に示す破線Ｂ１−Ｂ１にて切断した断面を示す断面図である。
上記冷却ファン４１Ｇから送出された冷却気体は、図１１及び図１２に示すように、第２ダクト部４４を介して送出口４４２からＹ方向に向けて送出され、液晶パネル３４１Ｇに供給される。
【００４７】
冷却ファン４１Ｒから送出された冷却気体は、図１１に示すように、第１ダクト部４３内に導入される。この冷却気体のうち、分岐部４３１にて分岐された一部の冷却気体は、送出口４３２からＹ方向に向けて送出され、液晶パネル３４１Ｒに供給される。一方、分岐部４３１にて分岐された他の一部の冷却気体は、延出部４３７に流通し、当該延出部４３７に形成された送出口４３３からＹ方向に向けて送出され、シフト素子５におけるＸ方向側の領域に供給される。
ここで、延出部４３７のＺ方向側の端部には、図１１に示すように、Ｚ方向に向けて傾斜する整流部４３７３が形成されている。このため、延出部４３７を流通する冷却気体は、送出口４３３から送出される際に、Ｚ方向側に広がって送出される。具体的に、送出口４３３から送出される冷却気体は、シフト素子５のＺ方向側の面及びＺ方向とは反対方向側の面に流通される。更に詳述すると、送出口４３３から送出された冷却気体は、コイル保持部５７１のＺ方向とは反対方向側の面及びコイル保持部５７２のＺ方向側の面に流通される。
【００４８】
冷却ファン４１Ｂから送出された冷却気体は、図１２に示すように、第３ダクト部４５内に導入される。この冷却気体のうち、分岐部４５１にて分岐された一部の冷却気体は、送出口４５２からＹ方向に向けて送出され、液晶パネル３４１Ｂに供給される。一方、分岐部４５１にて分岐された他の一部の冷却気体は、延出部４５７に流通し、当該延出部４５７に形成された送出口４５３からＹ方向に向けて送出され、シフト素子５におけるＸ方向側の領域に供給される。
ここで、延出部４５７のＺ方向側の端部には、図１２に示すように、Ｚ方向に向けて傾斜する整流部４５７３が形成されている。このため、延出部４５７を流通する冷却気体は、送出口４５３から送出される際に、Ｚ方向側に広がって送出される。具体的に、送出口４５３から送出される冷却気体は、シフト素子５のＺ方向側の面及びＺ方向とは反対方向側の面に流通される。更に詳述すると、送出口４５３から送出された冷却気体は、コイル保持部５７１のＺ方向とは反対方向側の面及びコイル保持部５７２のＺ方向側の面に流通される。
【００４９】
このようにしてシフト素子５におけるＸ方向側の領域、及び、Ｘ方向側とは反対側の領域に流通した冷却気体は、それぞれコイル保持部５６，５７に沿って流通することにより、これらコイル保持部５６，５７（特に空芯コイルＣＬ）を冷却する他、当該コイル保持部５６，５７により挟まれる永久磁石５３を冷却する。このようにしてシフト素子５が冷却され、当該シフト素子５の駆動が安定化される。
【００５０】
［第１実施形態の効果］
以上説明した本実施形態に係るプロジェクター１は、以下の効果がある。
複数の冷却対象である液晶パネル３４１及びシフト素子５に冷却気体を供給できるので、液晶パネル３４１の温度が上昇することを抑制できる。また、冷却装置４によりシフト素子５が冷却されるので、液晶パネル３４１から入射された光により当該シフト素子５の温度が上昇することを抑制できる。
【００５１】
色合成装置３４５と投射光学装置３５との間にシフト素子５が配置されるので、当該シフト素子５が冷却される際に、当該シフト素子５とともに、色合成装置３４５も冷却できる。従って、色合成装置３４５から入射された光により当該シフト素子５の温度が上昇することを抑制できる。
【００５２】
液晶パネル３４１に冷却気体を流通させるダクト部材４２が送出口４３３，４５３を有しているので、シフト素子５を冷却する冷却装置を別に設ける必要がない。これによれば、冷却装置４の小型化を図ることができ、ひいては、プロジェクター１を小型化できる。
【００５３】
ここで、永久磁石５３を挟んで配置される一対の空芯コイルＣＬに電力が供給されると、永久磁石５３を変位させ、ひいては、シフト素子５を変位させる磁力を発生させるとともに、当該空芯コイルＣＬの温度が上昇する。このように、空芯コイルＣＬの温度が上昇すると、磁力を発生させる空芯コイルＣＬの磁力が弱まることがある。
これに対し、本実施形態によれば、シフト素子５に冷却気体が供給されるので、シフト素子５、すなわち、シフト素子５が備える一対の空芯コイルＣＬの温度が上昇することを抑制できる。従って、シフト素子５に設けられた空芯コイルＣＬの磁力の低下を抑制できるので、当該シフト素子５の駆動を安定化できる。
【００５４】
シフト素子５の保持部を構成する第１フレーム５４及び第２フレーム５５に一対のコイル保持部５６及び一対のコイル保持部５７により空芯コイルＣＬが保持された状態で固定され、当該コイル保持部５６，５７に冷却気体の少なくとも一部が流通されるので、確実にコイル保持部５６，５７を冷却できる。従って、コイル保持部５６，５７を冷却することにより、当該コイル保持部５６，５７に保持される空芯コイルＣＬを冷却し、当該空芯コイルＣＬの温度が上昇することを抑制できる。
【００５５】
色合成装置３４５を挟んで互いに反対側に配置された液晶パネル３４１Ｒ,３４１Ｂに応じた２つのダクト部４３，４５を介して冷却気体を当該液晶パネル３４１Ｒ，３４１Ｂ及びシフト素子５に供給できる。すなわち、２つの送出口４３３，４５３からシフト素子５に冷却気体が供給されるので、確実にシフト素子５を冷却できる。また、シフト素子５に冷却気体を流通させるダクトを更に設けることなく液晶パネル３４１及びシフト素子５に冷却気体を供給できるので、冷却装置４の小型化、ひいては、プロジェクター１を小型化できる。
【００５６】
一方の揺動部材を構成する空芯コイルＣＬ、一対のコイル保持部５６及び永久磁石５３１と一方の液晶パネル３４１Ｂとの位置が近接し、他方の揺動部材を構成する空芯コイルＣＬ、一対のコイル保持部５７及び永久磁石５３２と他方の液晶パネル３４１Ｒとの位置が近接する。このため、対向して配置される液晶パネル３４１Ｒ，３４１Ｂのそれぞれと上記それぞれの揺動部材の位置が近いので、当該近接して配置される液晶パネル３４１Ｒ，３４１Ｂに対応するダクト部４３，４５から揺動部材に冷却気体を流通させる分岐部４３１，４５１の構成を簡易にできる。また、当該ダクト部４３，４５の分岐部４３１，４５１から送出口４３３，４５３までの距離を短くできるので、当該ダクト部４３，４５を流通する冷却気体の流通速度の低下を抑制できる。従って、より確実にシフト素子５を冷却できる。
【００５７】
［第２実施形態］
次に、本発明の第２実施形態について説明する。
本実施形態に係るプロジェクターは、上記プロジェクター１と同様の構成を備えるが、電気光学装置を構成するシフト素子の形状が異なる点で、上記プロジェクター１と相違する。なお、以下の説明では、既に説明した部分と同一又は略同一である部分については、同一の符号を付して説明を省略する。
【００５８】
図１３は、本実施形態に係るプロジェクターのシフト素子５Ａを示す斜視図である。
シフト素子５Ａは、本発明の光路変更素子に相当し、入射された光の光路を変更する機能を有する。このようなシフト素子５Ａは、図１３に示すように、光学部材５１、枠部５２、永久磁石（図示省略）、第１フレーム５４、第２フレーム５５、一対のコイル保持部５６Ａ及び一対のコイル保持部５７を備える。本実施形態では、コイル保持部５６Ａの構成のみ異なるので、以下に当該コイル保持部５６Ａについてのみ詳しく説明する。
【００５９】
一対のコイル保持部５６Ａは上記コイル保持部５６と同様に、内部に空芯コイルＣＬを有し、熱伝導性を有するアルミニウムにより構成される。また、一対のコイル保持部５６Ａのうち、Ｚ方向とは反対方向側のコイル保持部５６１Ａは、図１３に示すように、略Ｌ字状に構成される。具体的に、コイル保持部５６１Ａは、第１フレーム５４のＸ方向とは反対方向側の辺縁に沿って、送出口４５３側、すなわち、Ｙ方向とは反対方向側に延出する延出部５６Ａ１を備える。この構成により、コイル保持部５６１Ａの放熱面積は、他のコイル保持部５６２，５７１，５７２の放熱面積より大きくなる。
このようなコイル保持部５６１Ａに対して、送出口４５３から冷却気体が送出されると、当該コイル保持部５６１Ａの延出部５６Ａ１のＺ方向とは反対方向側の面に沿って冷却気体が流通され、当該コイル保持部５６１Ａが冷却される。
【００６０】
［第２実施形態の効果］
以上説明した本実施形態に係るプロジェクターは、上記プロジェクター１と同様の効果を奏する他、以下の効果がある。
送出口４３３からコイル保持部５７までの距離と比較して、送出口４５３からコイル保持部５６までの距離は大きい。また、コイル保持部５７を冷却し、温度上昇した冷却気体の一部がコイル保持部５６に流通する可能性がある。これらにより、コイル保持部５６の冷却効率は、コイル保持部５７の冷却効率より低くなることが想定される。
ここで、コイル保持部５６１Ａが延出部５６Ａ１を有するので、当該延出部５６Ａ１を備えたコイル保持部５６１Ａの放熱面積は、当該延出部５６Ａ１を有しない上記コイル保持部５６１の放熱面積より大きくなる。これによれば、コイル保持部５６１Ａ（延出部５６Ａ１）に冷却気体が供給されるので、より確実にコイル保持部５６１Ａを冷却できる。従って、コイル保持部５６１Ａに保持された空芯コイルＣＬを確実に冷却し、当該空芯コイルＣＬの温度が上昇することを抑制できる。
【００６１】
［第３実施形態］
次に、本発明の第３実施形態について説明する。
本実施形態に係るプロジェクターは、上記プロジェクター１と同様の構成を備えるが、電気光学装置を構成するシフト素子の形状が異なる点で、上記プロジェクター１と相違する。なお、以下の説明では、既に説明した部分と同一又は略同一である部分については、同一の符号を付して説明を省略する。
【００６２】
図１４は、本実施形態に係るプロジェクターのシフト素子５Ｂを示す斜視図である。
シフト素子５Ｂは、本発明の光路変更素子に相当し、入射された光の光路を変更する機能を有する。このようなシフト素子５Ｂは、図１４に示すように、光学部材５１、枠部５２、永久磁石（図示省略）、第１フレーム５４、第２フレーム５５、一対のコイル保持部５６Ｂ及び一対のコイル保持部５７Ｂを備える。本実施形態では、コイル保持部５６Ｂ，５７Ｂの構成のみ異なるので、以下に当該コイル保持部５６Ｂ，５７Ｂについてのみ詳しく説明する。
【００６３】
一対のコイル保持部５６Ｂ及び一対のコイル保持部５７Ｂは、上記コイル保持部５６と同様に、内部に空芯コイルＣＬを有し、熱伝導性を有するアルミニウムにより構成される。また、これらコイル保持部５６１Ａ，５６１Ｂのそれぞれは、本発明の放熱部に相当する複数の矩形板状のフィン５６Ｂ１を備える。一方、コイル保持部５７１Ｂ，５７２Ｂのそれぞれも、複数の矩形板状のフィン５７Ｂ１を備える。この構成により、一対のコイル保持部５６Ｂ，５７Ｂの放熱面積は、上記第１実施形態に係る一対のコイル保持部５６，５７の放熱面積より大きくなる。
このような一対のコイル保持部５６Ｂ，５７Ｂに対して、送出口４３３，４５３から冷却気体が送出されると、当該一対のコイル保持部５６Ｂ，５７Ｂの複数のフィン５６Ｂ１，５７Ｂ１の間を冷却気体が流通され、当該一対のコイル保持部５６Ｂ，５７Ｂが冷却される。
【００６４】
［第３実施形態の効果］
以上説明した本実施形態に係るプロジェクターは、上記プロジェクター１と同様の効果を奏する他、以下の効果がある。
一対のコイル保持部５６Ｂ及び一対のコイル保持部５７Ｂが放熱部としてフィン５６Ｂ１，５７Ｂ１を備えるので、一対のコイル保持部５６Ｂ及び一対のコイル保持部５７Ｂの放熱量は、当該フィン５６Ｂ１,５７Ｂ１を有していないコイル保持部５６，５７の放熱量より大きくなる。これによれば、一対のコイル保持部５６Ｂ及び一対のコイル保持部５７Ｂのフィン５６Ｂ１，５７Ｂ１に冷却気体が供給されることにより、より確実に一対のコイル保持部５６Ｂ及び一対のコイル保持部５７Ｂを冷却できる。従って、一対のコイル保持部５６Ｂ及び一対のコイル保持部５７Ｂに保持された空芯コイルＣＬを確実に冷却し、当該空芯コイルＣＬの温度が上昇することを抑制できる。
【００６５】
［実施形態の変形］
本発明は、上記各実施形態に限定されるものではなく、本発明の目的を達成できる範囲での変形、改良等は本発明に含まれるものである。
上記各実施形態において、冷却装置４は、第１〜第３ダクト部４３〜４５のそれぞれに接続される冷却ファン４１Ｒ，４１Ｇ，４１Ｂを備えることとした。しかしながら、本発明は、これに限らない。例えば、冷却ファン４１は、１つであってもよいし、２つであってもよい。この場合、第１〜第３ダクト部４３〜４５に冷却気体が供給されれば、第１〜第３ダクト部４３〜４５はどのような形状であってもよい。
【００６６】
上記各実施形態において、シフト素子５は、光学部材５１、枠部５２、永久磁石５３、第１フレーム５４、第２フレーム５５及び一対のコイル保持部５６，５７を備えることとした。しかしながら、本発明は、これに限らない。例えば、第１フレーム５４及び第２フレーム５５は、一体となっていてもよい。また、一対のコイル保持部５６及び一対のコイル保持部５７を備えることとしたが、いずれか一方のみを備えることとしてもよい。
すなわち、コイル保持部５６，５７に保持される空芯コイルＣＬに電力が供給され、シフト素子５が揺動し、上記光学部材５１に入射される光の光路を変更できれば、どのような構成であってもよい。
【００６７】
上記各実施形態において、空芯コイルＣＬは、各コイル保持部５６，５７に保持されることとした。しかしながら、本発明は、これに限らない。例えば、空芯コイルＣＬが直接第１フレーム５４及び第２フレーム５５に固定される構成であってもよい。
上記各実施形態において、色合成装置３４５は、クロスダイクロイックプリズムにより構成されていることとした。しかしながら、本発明は、これに限らない。例えば、色合成装置３４５は、液晶パネル３４１から入射される光を合成できれば、どのような形状であってもよい。
【００６８】
上記各実施形態では、一対のコイル保持部５６は、第１フレーム５４における角部ＣＲ３の近傍、すなわち、シフト素子５をＺ方向とは反対方向側から見て、Ｘ方向とは反対方向側でＹ方向側の位置に配置され、一対のコイル保持部５７は、第１フレーム５４における角部ＣＲ２の近傍、すなわち、Ｘ方向側でＹ方向とは反対方向側の位置に配置されることとした。しかしながら、本発明は、これに限らない。例えば、一対のコイル保持部５６と一対のコイル保持部５７の位置が逆であってもよい。この場合であっても、上記各実施形態のシフト素子５，５Ａ，５Ｂのそれぞれと同様の効果を奏することができる。
【００６９】
上記各実施形態において、分岐部４３１，４５１は、第１ダクト部４３及び第３ダクト部４５にのみ設けられることとした。しかしながら、本発明は、これに限らない。例えば、第２ダクト部４４に分岐部を設け、当該分岐部からシフト素子５に対して冷却気体を供給するようにしてもよい。この場合、色合成装置３４５を固定するプリズムベース３４７Ｌを設けることなく、接続部４６に代えて送出口を構成するようにすればよい。これによれば、第１〜第３ダクト部４３〜４５のそれぞれを流通する冷却気体から分岐された冷却気体がシフト素子５の略全領域に供給されるので、シフト素子５を更に確実に冷却できる。
【００７０】
上記各実施形態において、一対のコイル保持部５６，５７，５６Ａ，５６Ｂ，５７Ｂは、空芯コイルＣＬを保持することとした。しかしながら、本発明は、これに限らない。例えば、一対のコイル保持部５６，５７，５６Ａ，５６Ｂ，５７Ｂは、鉄心コイルを保持することとしてもよい。すなわち、電力が供給することで磁力を発生させることができるものであれば、コイルの形状及び種類は、どのようなものであってもよい。
【００７１】
上記各実施形態において、上記枠部５２、第１フレーム５４、第２フレーム５５及び一対のコイル保持部５６，５７，５６Ａ，５６Ｂ，５７Ｂは、アルミニウムにより構成されていることとした。しかしながら、本発明は、これに限らない。例えば、上記枠部５２、第１フレーム５４、第２フレーム５５及び一対のコイル保持部５６，５７，５６Ａ，５６Ｂ，５７Ｂは、アルミニウムに限らず、熱伝導性を有していればどのような素材により構成されてもよい。
【００７２】
上記各実施形態において、突出部４３５，４４５，４５５のＹ方向とは反対方向側の端部に整流部４３６，４４６，４５６が設けられていることとした。しかしながら、本発明は、これに限らない。例えば、当該整流部４３６，４４６，４５６は、外装筐体２の内面であってもよく、この場合には、ダクト部材４２が当該内面に取り付けられることによって、各ダクト部が形成されることとなる。
【００７３】
上記第２実施形態において、コイル保持部５６１Ａが延出部５６Ａ１を備えることとした。しかしながら、本発明は、これに限らない。例えば、コイル保持部５６２も当該コイル保持部５６１Ａと同様に延出部を備えることとしてもよい。更に、コイル保持部５７１，５７２も同様に延出部を備えることとしてもよい。加えて、これら延出部を備えたコイル保持部５６１Ａ，５６２，５７１，５７２のそれぞれに、上記第３実施形態に係るフィン５６Ｂ１，５７Ｂ１を更に設けるようにしてもよい。
【００７４】
上記第３実施形態において、一対のコイル保持部５６Ｂ，５７Ｂのいずれもがフィン５６Ｂ１，５７Ｂ１を備えたヒートシンク形状であることとした。しかしながら、本発明は、これに限らない。例えば、第１フレーム５４に取り付けられるコイル保持部５６１Ｂ，５７１Ｂにのみフィン５６Ｂ１，５７Ｂ１を設けるようにしてもよいし、第２フレーム５５に取り付けられるコイル保持部５６２Ｂ，５７２Ｂにのみフィン５６Ｂ１，５７Ｂ１を設けるようにしてもよい。すなわち、コイル保持部５６１Ｂ，５６２Ｂ，５７１Ｂ，５７２Ｂのいずれかにフィン５６Ｂ１，５６Ｂ２が設けられていればよい。
また、フィン５６Ｂ１，５７Ｂ１の形状は、矩形板状に限らず、どのような形状であってもよいし、コイル保持部５６１Ｂ，５６２Ｂ，５７１Ｂ，５７２Ｂごとに異なる形状のフィンが設けられるようにしてもよい。要するに、コイル保持部５６１Ｂ，５６２Ｂ，５７１Ｂ，５７２Ｂの放熱面積が拡大すればよい。
【００７５】
上記実施形態では、光変調装置として透過型の液晶パネル３４１（３４１Ｒ，３４１Ｇ，３４１Ｂ）を用いることとした。しかしながら、本発明は、これに限らない。例えば、透過型の液晶パネル３４１（３４１Ｒ，３４１Ｇ，３４１Ｂ）に代えて、反射型の液晶パネルを用いてもよい。この場合、色分離装置３３を設けることなく、当該色合成装置３４５により、色分離及び色合成を実行するようにしてもよい。
【００７６】
上記実施形態では、プロジェクター１は、３つの液晶パネル３４１（３４１Ｒ，３４１Ｇ，３４１Ｂ）を備えることとしたが、本発明はこれに限らない。すなわち、２つ以下、あるいは、４つ以上の液晶パネルを用いたプロジェクターにも、本発明を適用可能である。
また、液晶パネルに代えて、ＤＭＤ（デジタルマイクロミラーデバイス）等を用いてもよい。
【００７７】
上記実施形態では、プロジェクター１は、一対の光源装置３１Ａ，３１Ｂを備えることとした。しかしながら、本発明は、これに限らない。例えば、光源装置は１つであってもよいし４つであってもよい。
上記実施形態では、画像形成装置３の配置は、図２に示す配置とした。しかしながら、本発明は、これに限らない。例えば、上記画像形成装置を略Ｌ字型若しくは略Ｕ字型に配置することとしてもよい。
【符号の説明】
【００７８】
１…プロジェクター、３１…照明装置（光源）、３４１，３４１Ｒ，３４１Ｂ，３４１Ｂ…液晶パネル（光変調装置）、３４５…色合成装置（光合成装置）、３４５３，３４５４，３４５５…面（入射面）、３４５６…面（出射面）、３５…投射光学装置、４…冷却装置、４１，４１Ｂ，４１Ｇ，４１Ｒ…冷却ファン、４２…ダクト部材、４３…第１ダクト部（ダクト）、４３１，４５１…分岐部、４３３，４５３…送出口、４４…第２ダクト部（ダクト）、４５…第３ダクト部（ダクト）、４３７１，４５７１…面（分岐部）、４３７２，４５７２…開口部（分岐部）、５，５Ａ，５Ｂ…シフト素子、５１…光学部材、５２…枠部（保持部）、５３，５３１，５３２…永久磁石（搖動部材）、５４…第１フレーム（保持部）、５５…第２フレーム（保持部）５６，５７，５６Ａ，５６Ｂ…一対のコイル保持部（搖動部材）、５６１，５６２，５７１，５７２，５６１Ａ，５６１Ｂ，５６２Ｂ，５７１Ｂ，５７２Ｂ…コイル保持部、５６Ａ１…延出部、５６Ｂ１，５７Ｂ１…フィン（放熱部）、ＣＬ…空芯コイル（一対のコイル、搖動部材）。
【図１】
2020052412.tif 000003
【図２】
2020052412.tif 000004
【図３】
2020052412.tif 000005
【図４】
2020052412.tif 000006
【図５】
2020052412.tif 000007
【図６】
2020052412.tif 000008
【図７】
2020052412.tif 000009
【図８】
2020052412.tif 000010
【図９】
2020052412.tif 000011
【図１０】
2020052412.tif 000012
【図１１】
2020052412.tif 000013
【図１２】
2020052412.tif 000014
【図１３】
2020052412.tif 000015
【図１４】
2020052412.tif 000016
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
光源と、
前記光源から出射された光を変調する光変調装置と、
前記光変調装置により変調された光を投射する投射光学装置と、
前記光変調装置と前記投射光学装置との間に配置され、前記光変調装置により変調された光が入射し、入射した光の光路を変更する光路変更素子と、
前記光変調装置及び前記光路変更素子を冷却する冷却装置と、を備え、
前記光路変更素子は、
フレームと、
前記フレームに保持され、入射した光の光路を変更する光学部材と、
前記光学部材を揺動させる揺動部と、を有し、
前記揺動部は、
コイルと、永久磁石と、前記コイルを保持するコイル保持部と、を有し、
前記コイルに電力が供給されることで、前記光学部材を揺動させ、  
前記冷却装置は、
冷却気体を送出する冷却ファンと、
前記冷却ファンから送出された前記冷却気体を流通させるダクト部材と、を備え、
前記ダクト部材は、前記光路変更素子に向けて前記冷却気体を流通させる送出口を有し、
前記送出口は、前記コイル保持部に対向する位置に配置されていることを特徴とするプロジェクター。
【請求項２】
請求項１に記載のプロジェクターにおいて、
複数の前記光変調装置と、
前記複数の光変調装置により変調された光を合成して出射する光合成装置と、を備え、
前記投射光学装置は、前記光合成装置から出射された光を投射し、
前記光路変更素子は、前記光合成装置と前記投射光学装置との間に配置されることを特徴とするプロジェクター。
【請求項３】
請求項１または請求項２のいずれか一項に記載のプロジェクターにおいて、
前記コイル保持部は前記フレームに固定されており、
前記コイル保持部に孔が形成され、前記フレームに設けられている突起が前記孔に嵌まり込んでいることを特徴とするプロジェクター。
【請求項４】
請求項１から請求項３のいずれか一項に記載のプロジェクターにおいて、
前記ダクト部材は、前記冷却ファンからの冷却気体を、前記光変調装置に流通する冷却気体と、前記送出口に流通する冷却気体と、に分岐する分岐部を有することを特徴とするプロジェクター。
【請求項５】
請求項１から請求項４のいずれか一項に記載のプロジェクターにおいて、
前記送出口は、前記光路変更素子の光入射側及び光出射側の両方に前記冷却気体を流通させることを特徴とするプロジェクター。
【請求項６】
請求項１から請求項５のいずれか一項に記載のプロジェクターにおいて、
前記コイル保持部は、放熱部を備えることを特徴とするプロジェクター。
【請求項７】
請求項１から請求項６のいずれか一項に記載のプロジェクターにおいて、
前記コイル保持部は、前記送出口側に延出する延出部を有することを特徴とするプロジェクター。
【請求項８】
請求項２に記載のプロジェクターにおいて、
前記光合成装置は、
前記複数の光変調装置を介した光が入射される３つの入射面と、
前記３つの入射面から入射され、合成された光が出射される１つの出射面と、を有し、
前記ダクト部材は、前記複数の光変調装置のそれぞれに応じて設けられ、内部を流通する前記冷却気体を対応する前記光変調装置に送出する複数のダクトを有し、
前記複数のダクトのうち、前記光合成装置を挟んで互いに反対側に配置された光変調装置に対応するダクトは、内部を流通する前記冷却気体を分岐させ、前記送出口から当該冷却気体を送出させる分岐部を有することを特徴とするプロジェクター。
【請求項９】
請求項８に記載のプロジェクターにおいて、
前記光路変更素子は、前記揺動部を２つ有し、
前記光合成装置を挟んで互いに反対側に配置された光変調装置のうち、
一方の光変調装置側に一方の前記揺動部が配置され、他方の光変調装置側に他方の前記揺動部が配置され、
一方の前記揺動部は、前記光学部材に対する光の入射方向側から見て、前記光学部材を挟んで他方の前記揺動部の反対側となる位置に配置されることを特徴とするプロジェクター。
【請求項１０】
請求項１から請求項９のいずれか一項に記載のプロジェクターにおいて、
光学部品筐体を有し、
前記光変調装置及び前記光路変更素子は、前記光学部品筐体の内部に配置され、
前記光路変更素子は、前記光学部品筐体の内部において、固定部材を介して前記光学部品筐体に固定されていることを特徴とするプロジェクター。
【請求項１１】
請求項１０に記載のプロジェクターにおいて、 
前記コイルに電力を供給する電力供給部を備え、
前記電力供給部は、前記固定部材に設けられていることを特徴とするプロジェクター。
【請求項１２】
請求項１から１１のいずれか一項に記載のプロジェクターにおいて、
前記コイル保持部は、金属により構成されていることを特徴とするプロジェクター。